(57)【要約】      （修正有）【課題】破断片が外蓋片から完全に分離することを防止することによって開封した包装箱であっても蓋を閉じて継続して使用することができる不正開封防止包装箱を提供する。【解決手段】不正開封防止包装箱１００において、内蓋片を閉じてから外蓋片１１を閉じてタック片４０をタック片挿入スリット１６、１７に挿入すると、一対の係止片が曲折された状態の差し込み片５０を挿入可能な挿入スリット６０がタック片に形成される。差し込み片を挿入スリットに挿入すると、差し込み片が一対の係止片によりタック片の内側に係止されて抜去不能となって不正開封防止包装箱が封止される。外蓋片には、破断線Ｂ１、Ｂ２により画定され、開封時に開いて差し込み片を挿入スリットから抜去可能とするための破断片７０が設けられ、破断片の一部は外蓋片と分離不能に設けられている。【選択図】図１
0003223268.tif 000002
【実用新案登録請求の範囲】
【請求項１】
蓋部、側壁部及び底部が連設された直方体状の包装箱であって、
前記蓋部は、外蓋片、内蓋片及び側蓋片を有しており、
前記外蓋片には、該外蓋片の先端縁から突出する曲折可能なタック片が設けられており、
前記側壁部及び前記内蓋片には、該側壁部の一部と該内蓋片の一部とに切り込みが入れられることにより形成された曲折可能な差し込み片が前記タック片に対応する位置に設けられており、
前記差し込み片の両側には、曲折可能な係止片がそれぞれ突出しており、
前記内蓋片には、前記タック片を挿入可能なタック片挿入スリットが形成されており、
前記タック片を前記タック片挿入スリットに挿入すると、前記係止片が曲折された状態の前記差し込み片を挿入可能な挿入スリットが前記タック片に形成され、
前記差し込み片を前記挿入スリットに挿入すると、前記差し込み片が前記係止片によって前記タック片の内側に係止されて抜去不能となり、
前記外蓋片には、破断線によって画定され、開封時に前記差し込み片を前記挿入スリットから抜去可能とするための破断片が設けられ、
前記破断片の一部が前記外蓋片と分離不能に設けられていることを特徴とする不正開封防止包装箱。
【請求項２】
前記破断片は、前記外蓋片の先端縁から平行に延在する一対の破断線と、該一対の破断線の終端を結んで延在する折り目線とにより長方形形状に画定されていることを特徴とする請求項１記載の不正開封防止包装箱。
【請求項３】
前記破断片には、該破断片の先端部に前記側壁部よりも外側に突出して延在する突出片が設けられていることを特徴とする請求項１または２に記載の不正開封防止包装箱。
【請求項４】
前記挿入スリットは、前記差し込み片に対応する位置に設けられ、前記差し込み片を挿入するための前記挿入スリットの先端に沿う方向に延在する差し込み片挿入スリットと、該差し込み片挿入スリットの両端から前記タック片の先端に向かう方向に延在する、曲折された状態の一対の前記係止片を挿入するための一対の係止片挿入スリットとにより画定されていることを特徴とする請求項１〜３のいずれか一項に記載の不正開封防止包装箱。
【請求項５】
複数の内側壁部が内側底部と連設された補強部材を更に備え、
前記複数の内側壁部は、夫々、対応する前記側壁部の内側面に当接されており、
前記内側底部は、前記底部の内側面に当接されており、
前記複数の内側壁部のうち前記タック片に最も近い第一の内側壁部は、前記タック片に対応する位置に、前記第一の内側壁部の先端から内側底部に向かう方向に延在する切欠き部が形成されていることを特徴とする請求項１〜４のいずれか一項に記載の不正開封防止包装箱。
【請求項６】
前記外蓋片が閉じられた状態では、前記タック片は前記切欠き部内に収容され、前記タック片の先端縁は前記第一の内側壁部と当接することを特徴とする請求項５記載の不正開封防止包装箱。
【請求項７】
前記内蓋片の内側に天板部及び天板側壁部が連設された天板部材を更に備え、
前記蓋部と前記天板部との間に空間が形成されていることを特徴とする請求項１〜６のいずれか一項に記載の不正開封防止包装箱。
【請求項８】
前記天板部又は前記天板側壁部には、指掛部又は摘み部が形成されていることを特徴とする請求項７記載の不正開封防止包装箱。
【請求項９】
蓋部、側壁部及び底部が連設された直方体状の包装箱を形成するためのブランクであって、
前記蓋部は、外蓋片、内蓋片及び側蓋片を有しており、
前記側壁部は、後側壁部、右側壁部、前側壁部及び左側壁部が連設されており、
前記後側壁部の一方側には、前記外蓋片が連接されており、前記前側壁部の一方側には、前記内蓋片が連接されており、
前記外蓋片の一方側には、該外蓋片の先端縁から一方側に突出するタック片が設けられており、
前記前側壁部及び前記内蓋片には、該前側壁部の一部と該内蓋片の一部とに切り込みが入れられることにより形成された差し込み片が横方向中央部に設けられており、
前記差し込み片には、横方向に向かって延在する係止片が両側から突出しており、
前記内蓋片には、前記前側壁部と前記内蓋片との折り目線に沿って延在するタック片挿入スリットが形成されており、
前記外蓋片には、破断線により画定された破断片が前記外蓋片の先端縁に設けられており、
前記破断片の一部が前記外蓋片と分離不能に設けられていることを特徴とするブランク。
【考案の詳細な説明】
【技術分野】
【０００１】
本考案は、不正開封防止包装箱及びブランクに関する。
【背景技術】
【０００２】
従来から、商品の包装容器として、例えば、段ボール等で作製された包装箱が広く用いられている。このような包装箱として、蓋部の外蓋片に舌片を設け、この舌片の左右に突片、内側に略三角形状のジッパー片（破断片）を設け、蓋部の裏蓋片に略Ｕの字状の挿入スリットを形成し、舌片を挿入スリットに挿入することで、不正開封を防止している不正開封防止包装箱が開示されている（例えば特許文献１参照）。
【先行技術文献】
【特許文献】
【０００３】
【特許文献１】特開２０１０−２８５１７９号公報
【考案の概要】
【考案が解決しようとする課題】
【０００４】
従来の不正開封防止包装箱においては、商品を取り出す際に外蓋片のジッパー片（破断片）が破られることで包装箱に開封跡が残るため、包装箱内の商品の偽装工作等が不可能となっている。しかしながら、従来の不正開封防止包装箱においては、外蓋片のジッパー片が破られると、ジッパー片が外蓋片から完全に分離してゴミとなるばかりではなく、分離したジッパー片により包装箱に穴が開いて、開封された包装箱は再び蓋を閉じて継続使用することができないおそれがある。
【０００５】
本考案の目的は、破断片が外蓋片から完全に分離することを防止し、開封した包装箱であっても蓋を閉じて継続して使用することができる不正開封防止包装箱を提供することにある。
【課題を解決するための手段】
【０００６】
本考案の一態様に係る不正開封防止包装箱は、蓋部、側壁部及び底部が連設された直方体状の包装箱であって、蓋部は、外蓋片、内蓋片及び側蓋片を有している。外蓋片には、該外蓋片の先端縁から突出する曲折可能なタック片が設けられている。側壁部及び内蓋片には、該側壁部の一部と該内蓋片の一部とに切り込みが入れられることにより形成された曲折可能な差し込み片がタック片に対応する位置に設けられている。差し込み片の両側には曲折可能な係止片がそれぞれ突出している。内蓋片には、タック片を挿入可能なタック片挿入スリットが形成されている。タック片をタック片挿入スリットに挿入すると、一対の係止片が曲折された状態の差し込み片を挿入可能な挿入スリットがタック片に形成される。差し込み片を挿入スリットに挿入すると、差し込み片が一対の係止片によってタック片の内側に係止されて抜去不能となる。外蓋片には破断線により画定された破断片が設けられている。開封時に破断片を破断線に沿って分離すると、差し込み片を挿入スリットから抜去可能とするための開口が形成される。そして、破断片が外蓋片から完全に分離してゴミとならないように、破断片の一部は外蓋片と分離不能に連結している。
【０００７】
本考案の一態様に係るブランクは、蓋部、側壁部及び底部が連設された直方体状の包装箱を形成するためのブランクであって、蓋部は、外蓋片、内蓋片及び側蓋片を有している。側壁部には、後側壁部、右側壁部、前側壁部及び左側壁部が連設されている。後側壁部の一方側には外蓋片が連接されており、前側壁部の一方側には内蓋片が連接されている。外蓋片の一方側には該外蓋片の先端縁から一方側に突出するタック片が設けられている。前側壁部及び内蓋片には、該前側壁部の一部と該内蓋片の一部とに切り込みが入れられることにより形成された差し込み片が横方向中央部に設けられている。差し込み片には、該差し込み片の横方向に向かって両側から係止片が突出している。内蓋片には、前側壁部と内蓋片との折り目線に沿ってタック片挿入スリットが形成されている。外蓋片には外蓋片の先端縁から後側壁部に向かって延在する破断線により画定された破断片が設けられている。そして、前記破断片の一部は前記外蓋片と分離不能に連結している。
【考案の効果】
【０００８】
本考案に係る不正開封防止包装箱によれば、破断片が外蓋片から完全に分離することを防止し、開封した包装箱であっても破断片の位置を元に戻せば蓋を閉じて継続して使用することができる。
【図面の簡単な説明】
【０００９】
【図１】本考案の実施の形態に係る不正開封防止包装箱の蓋が閉じられた状態の斜視図である。
【図２】図１に示す不正開封防止包装箱のブランクの展開図である。
【図３】図２に示すブランクの破断片の拡大展開図である。
【図４】図２に示すブランクの差し込み片の拡大展開図である。
【図５】本考案の実施の形態に係る不正開封防止包装箱の補強部材のブランクの展開図である。
【図６】本考案の実施の形態に係る不正開封防止包装箱の補強部材の斜視図である。
【図７】本考案の実施の形態に係る不正開封防止包装箱の天板部材のブランクの展開図である。
【図８】本考案の実施の形態に係る不正開封防止包装箱の天板部材の斜視図である。
【図９】本考案の実施の形態に係る不正開封防止包装箱の組立方法を示す図である。
【図１０】本考案の実施の形態に係る不正開封防止包装箱の組立方法を示す図である。
【図１１】本考案の実施の形態に係る不正開封防止包装箱の組立方法を示す図である。
【図１２】本考案の実施の形態に係る不正開封防止包装箱の組立方法を示す図である。
【図１３】本考案の実施の形態に係る不正開封防止包装箱の組立方法を示す図である。
【図１４】図１に示す蓋が閉じられた状態の不正開封防止包装箱の差し込み片を内側から見た斜視図である。
【図１５】図１に示す不正開封防止包装箱の破断片を破断線に沿って破った状態の斜視図である。
【図１６】本考案の実施の形態に係る不正開封防止包装箱の変形例における構成を概略的に示す斜視図である。
【図１７】本考案の実施の形態に係る不正開封防止包装箱の変形例における構成を概略的に示す斜視図である。
【図１８】本考案の実施の形態に係る不正開封防止包装箱の変形例における天板の構成を概略的に示す斜視図である。
【図１９】本考案の実施の形態に係る不正開封防止包装箱の変形例における天板の構成を概略的に示す斜視図である。
【考案を実施するための形態】
【００１０】
以下、本考案の実施の形態について図面を参照しながら説明する。
【００１１】
図１は、本考案の実施の形態に係る不正開封防止包装箱１００の蓋が閉じられた状態の斜視図である。以下、説明の便宜上、図１における不正開封防止包装箱１００の深さ方向における一方側（矢印ａ方向）を上側とし、他方側（矢印ｂ方向）を下側とする。また、図１における不正開封防止包装箱１００の深さ方向に直交する長さ方向における一方側（矢印ｃ方向）を右側とし、他方側（矢印ｄ方向）を左側とする。また、図１における不正開封防止包装箱１００の深さ方向及び長さ方向に直交する幅方向における一方側（矢印ｅ方向）を前側とし、他方側（矢印ｆ方向）を後側とする。なお、図６、図８〜１９においても同様である。
【００１２】
本考案の実施の形態に係る不正開封防止包装箱１００は、蓋部１０、側壁部２０及び底部３０が連設された直方体状の包装箱である。蓋部１０は、外蓋片１１、内蓋片１３及び側蓋片（右側蓋片１２、左側蓋片１４）を有しており、外蓋片１１には、外蓋片１１の先端縁１１ａから突出する曲折可能なタック片４０が設けられている。側壁部２０は、後側壁部２１、右側壁部２２、前側壁部２３及び左側壁部２４を有している。前側壁部２３の上側には、タック片４０に対応する位置から突出する曲折可能な差し込み片５０が設けられている。差し込み片５０は前側壁部２３の一部と内蓋片１３の一部とに切り込みが入れられて、差し込み片５０の一辺のみを前側壁部２３と連結させた舌片状に形成されている。
【００１３】
差し込み片５０の長さ方向における両側には曲折可能な係止片（右側係止片５３、左側係止片５４）が突出している。内蓋片１３には、タック片４０を挿入可能なタック片挿入スリット（右側タック片挿入スリット１６及び左側タック片挿入スリット１７）が形成されている。タック片４０をタック片挿入スリットに挿入すると、一対の係止片（右側係止片５３、左側係止片５４）が曲折された状態の差し込み片５０を挿入可能な挿入スリット６０がタック片４０に形成される。差し込み片５０を挿入スリット６０に挿入すると、差し込み片５０が挿入後に左右に開いた一対の係止片によってタック片４０の内側に係止されて抜去不能となる。外蓋片１１には、破断線により画定され、開封時に破断線を分離して差し込み片５０を挿入スリット６０から抜去可能とするための破断片７０が設けられ、破断片７０の一部は外蓋片１１と分離不能に連結されている。以下、不正開封防止包装箱１００の構成について具体的に説明する。
【００１４】
図２は、図１に示す不正開封防止包装箱１００のブランク１の展開図である。図３は、図２に示すブランク１の破断片７０の拡大展開図であり、図４は、図２に示すブランク１の差し込み片５０の拡大展開図である。
【００１５】
以下、説明の便宜上、図２〜４における不正開封防止包装箱１００のブランク１は折り曲げられていない状態であり、ブランク１の縦方向における一方側（矢印ｇ方向）をブランク上側とし、他方側（矢印ｈ方向）をブランク下側とする。また、ブランク１の縦方向に直交する横方向における一方側（矢印ｉ方向）をブランク右側とし、他方側（矢印ｊ方向）をブランク左側とする。また、ブランク１において、二点鎖線は折り目線（山折り線又は谷折り線）を、実線Ｃ１〜Ｃ７は切り込み線を夫々示している。破断線Ｂ１、Ｂ２は、例えば、ミシン目、断続的に形成された切り込み線等である。なお、図５、図７においても同様である。
【００１６】
図２における不正開封防止包装箱１００のブランク１は、１枚の段ボール等の板紙により構成されており、不正開封防止包装箱１００の内側から見た図を示している。不正開封防止包装箱１００のブランク１は、例えばシングルフルートにより構成されており、フルートは縦方向に延在している（不図示）。
【００１７】
図２に示すように、不正開封防止包装箱１００のブランク１には、横方向の折り目線Ｆ１〜Ｆ２、Ｆ４〜Ｆ８、及びＦ２０〜Ｆ２１を介して、縦方向に蓋部１０、側壁部２０及び底部３０が連設されている。側壁部２０には、縦方向の折り目線Ｆ９〜Ｆ１１を介して、ブランク左側から順に後側壁部２１、右側壁部２２、前側壁部２３及び左側壁部２４が連設されている。後側壁部２１のブランク左側には、縦方向の折り目線Ｆ１２を介して、後側壁部２１と左側壁部２４とを接着するための左側貼付片２５が連設されている。後側壁部２１、右側壁部２２、前側壁部２３及び左側壁部２４は、縦方向の長さよりも横方向の長さが長い横長の長方形形状に形成されている。しかし、縦方向の長さと横方向の長さの関係はこれに限定されない。
【００１８】
蓋部１０には、縦方向の切れ目を介して、ブランク左側から順に、外蓋片１１、右側蓋片１２、内蓋片１３及び左側蓋片１４が設けられている。後側壁部２１のブランク上側（一方側）には、横方向の折り目線Ｆ１を介して、外蓋片１１が連設されており、右側壁部２２のブランク上側には、横方向の折り目線Ｆ２を介して、右側蓋片１２が連設されている。前側壁部２３のブランク上側（一方側）には、横方向の折り目線Ｆ２０と折り目線Ｆ２１とを介して、内蓋片１３が連設されており、左側壁部２４のブランク上側には、横方向の折り目線Ｆ４を介して、左側蓋片１４が連設されている。外蓋片１１、右側蓋片１２、内蓋片１３及び左側蓋片１４は、縦方向の長さよりも横方向の長さが長い横長の長方形形状に形成されている。しかし、縦方向の長さと横方向の長さの関係はこれに限定されない。
【００１９】
底部３０には、縦方向の切れ目を介して、ブランク左側から順に、後側底片３１、右側底片３２、前側底片３３及び左側底片３４が設けられている。後側壁部２１のブランク下側には、横方向の折り目線Ｆ５を介して、後側底片３１が連設されており、右側壁部２２のブランク下側には、横方向の折り目線Ｆ６を介して、右側底片３２が連設されている。前側壁部２３のブランク下側には、横方向の折り目線Ｆ７を介して、前側底片３３が連設されており、左側壁部２４のブランク下側には、横方向の折り目線Ｆ８を介して、左側底片３４が連設されている。
【００２０】
後側底片３１及び前側底片３３は、縦方向の長さよりも横方向の長さが長い横長の長方形形状に形成されている。後側底片３１及び前側底片３３のブランク下側には、夫々、切り欠きが形成されており、後側底片３１及び前側底片３３のブランク右側には、夫々、折り目線Ｆ１３、Ｆ１４を介して、右側底片３２及び左側底片３４と接着するための略三角形状の後側貼付片３１ａ及び前側貼付片３３ａが形成されている。右側底片３２及び左側底片３４は、縦方向の長さよりも横方向の長さが長い横長の略台形形状に形成されている。
【００２１】
図１、３に示すように、外蓋片１１には、外蓋片１１の先端縁１１ａから突出する曲折可能なタック片４０が設けられている。具体的に、タック片４０は、図３に示すように、外蓋片１１の横方向中央部分において先端縁１１ａからブランク上側（一方側）に突出しており、外蓋片１１の横方向の中心線から左右対称に延在している。タック片４０のブランク下側には、タック片４０のブランク左側の端部に切り込み線Ｃ１が延在しており、ブランク右側の端部に切り込み線Ｃ２が延在している。また、タック片４０のブランク下側には、切り込み線Ｃ１の下端からブランク右側に向かって折り目線Ｆ１５が延在しており、切り込み線Ｃ２の下端からブランク左側に向かって折り目線Ｆ１６が延在している。
【００２２】
さらに、タック片４０のブランク下側には、折り目線Ｆ１５の右側の端部に切り込み線Ｃ３が延在しており、折り目線Ｆ１６の左側の端部に切り込み線Ｃ４が延在している。そして、タック片４０のブランク下側には、切り込み線Ｃ３の上端から切り込み線Ｃ４の上端まで結んで横方向に切り込み線Ｃ５が延在している。これにより、タック片４０は、外蓋片１１の先端縁１１ａよりも切り込み線Ｃ１、Ｃ２の長さの分だけブランク下側（図１における後側）で折り目線Ｆ１５、Ｆ１６に沿って下側（図１）に曲折可能となっており、タック片挿入スリット（右側タック片挿入スリット１６、左側タック片挿入スリット１７）に挿入可能となっている。
【００２３】
タック片４０には、外蓋片１１に対してタック片４０を直角に折り曲げたときに差し込み片５０を挿入可能な挿入スリット６０（図１２）が形成される。挿入スリット６０は、曲折された状態の差し込み片５０を挿入するために、差し込み片５０に対応する位置に外蓋片１１の先端縁１１ａに沿う方向（不正開封防止包装箱１００の長さ方向）に延在する差し込み片挿入スリット６１（図１２）を有している。さらに、挿入スリット６０は、一対の係止片（右側係止片５３、左側係止片５４）を挿入するために、差し込み片挿入スリット６１の両側からタック片４０の先端に向かう方向（不正開封防止包装箱１００の深さ方向）に延在する一対の係止片挿入スリット（右側係止片挿入スリット６２、左側係止片挿入スリット６３）を有している。これにより、挿入スリット６０は、逆Ｕ字状（図１２）に画定されている。
【００２４】
具体的に、右側係止片挿入スリット６２は、図３に示すように、切り込み線Ｃ５のブランク右側の端部からブランク上側に向かって延在しており、左側係止片挿入スリット６３は、切り込み線Ｃ５のブランク左側の端部から右側係止片挿入スリット６２と平行にブランク上側に向かって延在している。ここで、切り込み線Ｃ５は、外蓋片１１の先端縁１１ａよりもブランク上側において切り込みされている。このため、差し込み片挿入スリット６１は、図３のようにタック片４０が折り曲げられていない状態ではタック片４０の下端と、後述する突出片７１とが接触して閉じられており、図１２に示すように、タック片４０を外蓋片１１側に対して曲折したときには開口して、不正開封防止包装箱１００の長さ方向に延在するようになっている。これにより、挿入スリット６０は、タック片４０を外蓋片１１側に対して直角に曲折した状態において、差し込み片挿入スリット６１、右側係止片挿入スリット６２及び左側係止片挿入スリット６３により逆Ｕ字状に画定されている。
【００２５】
図１、３に示すように、破断片７０は、外蓋片１１の先端縁１１ａから延在する一対の破断線（右側破断線Ｂ１、左側破断線Ｂ２）と、一対の破断線（右側破断線Ｂ１、左側破断線Ｂ２）の終端の間に延在する折り目線Ｆ１７とにより略長方形形状に画定されている。また、破断片７０には、図３に示すように、破断片７０の先端部７０ａに外蓋片１１の先端縁１１ａよりもブランク上側に突出して延在する突出片７１が設けられている。ブランク１を組み立てた不正開封防止包装箱１００の蓋が閉じられた状態を示す図１では、突出片７１は前側壁部２３よりも外側に突出している。
【００２６】
すなわち、右側破断線Ｂ１は、図３に示すように、折り目線Ｆ１６のブランク左側の端部からブランク下側に向かって延在しており、左側破断線Ｂ２は、折り目線Ｆ１５のブランク右側の端部から右側破断線Ｂ１と対称的にブランク下側に向かって延在している。折り目線Ｆ１７は、右側破断線Ｂ１のブランク下側の終端から左側破断線Ｂ２のブランク下側の終端まで延在している。
【００２７】
突出片７１は、破断片７０の先端部７０ａでブランク上側に突出しており、横方向に延在している。突出片７１は、切り込み線Ｃ３〜Ｃ５により画定されている。ここで、切り込み線Ｃ５は、外蓋片１１の先端縁１１ａよりもブランク上側で切り込みが入れられている。このため、突出片７１の先端は、図１に示すように、タック片４０を下側に曲折すると、前側壁部２３よりも外側に突出するようになっている。これにより、突出片７１に指を引っ掛けて破断片７０を開けやすくすることができる。
【００２８】
図４に示すように、前側壁部２３及び内蓋片１３には横方向の折り目線Ｆ１８、Ｆ１９に沿って曲折可能に延在する差し込み片５０が、不正開封防止包装箱１００の蓋を閉じたときにタック片４０に対応する位置に設けられている。差し込み片５０は、前側壁部２３の切欠き部と内蓋片１３の切欠き部１８とにちょうど嵌まるように、略Ｔ字形状に設けられ、差し込み片５０の先端部５２ａの両側から横方向に突出する一対の曲折可能な係止片（右側係止片５３、左側係止片５４）が設けられている。また、内蓋片１３には、タック片４０を挿入するためのタック片挿入スリット（右側タック片挿入スリット１６、左側タック片挿入スリット１７）が横方向に形成されている。
【００２９】
差し込み片５０は、前側壁部２３の横方向中央部と内蓋片１３の横方向中央部に跨って設けられている。差し込み片５０には、不正開封防止包装箱１００を閉じたときに前側壁部２３の切欠き部を塞ぐ可動片５１と内蓋片１３の挿入スリット６０に挿入される挿入片５２とが折り目線Ｆ１９を境界線として設けられている。
【００３０】
可動片５１は、前側壁部２３のブランク上側において、横方向中央部に長方形形状に設けられている。可動片５１は、前側壁部２３の切欠き部内において、切り込み線Ｃ６、Ｃ７と、折り目線Ｆ１８、Ｆ１９とにより画定されている。切り込み線Ｃ６は、右側タック片挿入スリット１６のブランク右側からブランク下側に向かって延在しており、切り込み線Ｃ７は、左側タック片挿入スリット１７のブランク左側からブランク下側に向かって延在している。折り目線Ｆ１８は、切り込み線Ｃ６のブランク下側の終端と切り込み線Ｃ７のブランク下側の終端とを結んで横方向に延在しており、折り目線Ｆ１９は、切り込み線Ｃ６のブランク上側の終端と切り込み線Ｃ７のブランク上側の終端とを結んで横方向に延在している。可動片５１には、折り目線Ｆ１９を介して挿入片５２が連接されている。
【００３１】
挿入片５２は、内蓋片１３のブランク下側において、折り目線Ｆ１９からブランク上側に向かって略Ｔ字形状に設けられている。挿入片５２は、内蓋片１３の切欠き部１８内において、折り目線Ｆ１９からブランク上側に延在する長方形形状に形成された本体部５２ｂと、本体部５２ｂのブランク左側において折り目線Ｆ２２から突出する右側係止片５３と、本体部５２ｂのブランク右側において折り目線Ｆ２３から突出する左側係止片５４とにより画定されている。
【００３２】
また、挿入片５２の先端部５２ａには、ブランク下側に向かって凹む半円形状の切り欠きである指掛部５５が形成されている。可動片５１は、折り目線Ｆ１８で曲折可能となっており、挿入片５２は、折り目線Ｆ１９で曲折可能となっている。右側係止片５３は、折り目線Ｆ２２で曲折可能となっており、左側係止片５４は、折り目線Ｆ２３で曲折可能となっている。
【００３３】
内蓋片１３の切欠き部１８は、前側壁部２３の横方向中央部分からブランク上側に向かって延在する略長方形形状に形成されている。内蓋片１３の切欠き部１８のブランク左側の端部には、ブランク左側に向かって延在する右側タック片挿入スリット１６が形成されている。内蓋片１３の切欠き部１８のブランク右側の端部には、ブランク右側に向かって延在する左側タック片挿入スリット１７が形成されている。
【００３４】
次に、不正開封防止包装箱１００の内側に収容される補強部材８０の構成について説明する。図５は、本考案の実施の形態に係る不正開封防止包装箱１００の補強部材８０のブランク２の展開図である。図６は、本考案の実施の形態に係る不正開封防止包装箱１００の補強部材８０の斜視図である。
【００３５】
不正開封防止包装箱１００においては、複数の内側壁部（内側後側壁部８１、内側右側壁部８２、内側前側壁部８３、内側左側壁部８４）が内側底部８５と連設された補強部材８０を更に備えることができる。補強部材８０を追加することにより、金属部品のような重量物も不正開封防止包装箱１００に梱包することができる。複数の内側壁部（内側後側壁部８１、内側右側壁部８２、内側前側壁部８３、内側左側壁部８４）は、夫々、対応する側壁部（後側壁部２１、右側壁部２２、前側壁部２３、左側壁部２４）の内側面に当接され、内側底部８５は、底部３０の内側面に当接される。複数の内側壁部のうちタック片４０に最も近い第一の内側壁部（内側前側壁部８３）は、タック片４０に対応する位置に、先端縁８３ａから内側底部８５に向かう方向（不正開封防止包装箱１００の深さ方向）に延在する切欠き部８６が形成されている。また、外蓋片１１が閉じられた状態では、タック片４０は切欠き部８６内に収容され、タック片４０の先端縁４０ａは内側前側壁部８３と当接する。
【００３６】
補強部材８０のブランク２は、１枚の段ボール等の板紙により構成されている。補強部材８０のブランク２は、例えばシングルフルートにより構成されており、フルートは縦方向に延在している（不図示）。図５に示すように、補強部材８０のブランク２は、内側底部８５の各辺からそれぞれ内側後側壁部８１、内側右側壁部８２、内側前側壁部８３、内側左側壁部８４が突出する略十字形状に形成されている。
【００３７】
より詳細には、補強部材８０のブランク２は、図５に示すように、横方向の折り目線Ｆ２４、Ｆ２５を介して、縦方向に内側後側壁部８１、内側底部８５及び内側前側壁部８３が連設されている。また、補強部材８０のブランク２は、縦方向の折り目線Ｆ２６、Ｆ２７を介して、ブランク左側から順に内側左側壁部８４、内側底部８５及び内側右側壁部８２が連接されている。内側後側壁部８１、内側底部８５及び内側前側壁部８３は、縦方向の長さよりも横方向の長さが長い長方形形状に形成されており、内側左側壁部８４及び内側右側壁部８２は、横方向の長さよりも縦方向の長さが長い長方形形状に形成されている。
【００３８】
内側後側壁部８１の縦方向及び横方向における長さは、後側壁部２１の縦方向及び横方向における長さよりも僅かに短くなっている。内側右側壁部８２の縦方向及び横方向における長さは、右側壁部２２の縦方向及び横方向における長さよりも僅かに短くなっている。内側前側壁部８３の縦方向及び横方向における長さは、前側壁部２３の縦方向及び横方向における長さよりも僅かに短くなっている。内側左側壁部８４の縦方向及び横方向における長さは、左側壁部２４の縦方向及び横方向における長さよりも僅かに短くなっている。内側底部８５の縦方向及び横方向における長さは、底部３０の縦方向及び横方向における長さよりも僅かに短くなっている。
【００３９】
従って、補強部材８０は、不正開封防止包装箱１００の内側面に当接して収容できるようになっている。すなわち、内側後側壁部８１は、後側壁部２１の内側面に当接するようになっており、内側右側壁部８２は、右側壁部２２の内側面に当接するようになっている。また、内側前側壁部８３は、前側壁部２３の内側面に当接するようになっており、内側左側壁部８４は、左側壁部２４の内側面に当接するようになっている。また、内側底部８５は、底部３０の内側面に当接するようになっている。
【００４０】
内側前側壁部８３の先端縁８３ａには、横方向における中央部分において先端縁８３ａからブランク上側に向かって凹む長方形形状の切り欠きである切欠き部８６が形成されている。切欠き部８６の横方向における長さは、図２におけるタック片４０の横方向における長さよりも長くなっており、切欠き部８６の縦方向における長さは、図２におけるタック片４０の縦方向における長さと略同じになっている。これにより、切欠き部８６のブランク上側における端部８６ａ（図６における下側）は、不正開封防止包装箱１００においてタック片４０の先端縁４０ａと当接するようになっている。
【００４１】
図６に示すように、補強部材８０は、内側後側壁部８１、内側右側壁部８２、内側前側壁部８３及び内側左側壁部８４が上側に折り曲げられることにより組み立てられる。内側後側壁部８１の左側の端部は、内側左側壁部８４の後側の端部と当接し、内側後側壁部８１の右側の端部は、内側右側壁部８２の後側の端部と当接する。内側前側壁部８３の左側の端部は、内側左側壁部８４の前側の端部と当接し、内側前側壁部８３の右側の端部は、内側右側壁部８２の前側の端部と当接する。これにより、補強部材８０では、内側後側壁部８１、内側右側壁部８２、内側前側壁部８３及び内側左側壁部８４により不正開封防止包装箱１００の内部空間Ｓ１が画定される。
【００４２】
次に、補強部材８０の内側上方に収容される天板部材９０の構成について説明する。図７は、本考案の実施の形態に係る不正開封防止包装箱１００の天板部材９０のブランク３の展開図である。図８は、本考案の実施の形態に係る不正開封防止包装箱１００の天板部材９０の斜視図である。
【００４３】
不正開封防止包装箱１００においては、内蓋片１３の内側に天板部９１及び天板側壁部（天板右側壁部９２、天板左側壁部９３）が連設された天板部材９０を更に備えることができる。蓋部１０と天板部９１との間に上側空間Ｓ２（図１０）が形成されている。また、天板部９１又は天板側壁部（天板右側壁部９２、天板左側壁部９３）には、指掛部９４が形成されている。
【００４４】
天板部材９０のブランク３は、１枚の段ボール等の板紙により構成されている。天板部材９０のブランク３は、例えばシングルフルート又はダブルフルートにより構成されており、フルートは横方向に延在している（不図示）。
【００４５】
図７に示すように、天板部材９０のブランク３は縦方向の折り目線Ｆ２８、Ｆ２９を介して、ブランク左側から順に天板左側壁部９３、天板部９１及び天板右側壁部９２が連接されている。天板部９１は、縦方向の長さよりも横方向の長さが長い長方形形状に形成されており、天板左側壁部９３及び天板右側壁部９２は、横方向の長さよりも縦方向の長さが長い長方形形状に形成されている。天板部９１のブランク左側には、縦方向中央部に円形状の孔が指掛部９４として形成されている。指掛部９４に指を掛けることによって不正開封防止包装箱１００から天板部材９０を容易に取り出すことができる。
【００４６】
天板部９１の縦方向及び横方向における長さは、内側底部８５の縦方向及び横方向における長さよりも僅かに短くなっている。天板右側壁部９２の縦方向における長さは、内側右側壁部８２の縦方向における長さよりも僅かに短くなっており、天板左側壁部９３の縦方向における長さは、内側左側壁部８４の縦方向における長さよりも僅かに短くなっている。天板右側壁部９２の横方向における長さは、内側右側壁部８２の横方向における長さよりも短くなっており、天板左側壁部９３の横方向における長さは、内側左側壁部８４の横方向における長さよりも短くなっている。
【００４７】
従って、天板部材９０は、補強部材８０の内側に収容されるようになっている。天板右側壁部９２は、内側右側壁部８２の内側面に当接するようになっており、天板左側壁部９３は、内側左側壁部８４の内側に当接するようになっている。
【００４８】
図８に示すように、天板部材９０は、天板右側壁部９２及び天板左側壁部９３が上側に折り曲げられることにより組み立てられる。従って、天板右側壁部９２及び天板左側壁部９３の横方向における長さの分だけ蓋部１０と天板部９１との間に図１０における上側空間Ｓ２が形成される。ここで、図７における天板右側壁部９２及び天板左側壁部９３の横方向長さは、図２における右側係止片５３及び左側係止片５４の横方向長さよりも長くなっている。
【００４９】
これにより、不正開封防止包装箱１００では、差し込み片５０を挿入スリット６０に挿入した場合に、蓋部１０と天板部９１との間の上側空間Ｓ２があることにより、不正開封防止包装箱１００の内部空間Ｓ１に収納される商品を保護するために封入される発泡スチロール等の緩衝材と干渉することがない。従って、不正開封防止包装箱１００では、緩衝材の影響を受けることなく、右側係止片５３及び左側係止片５４が左右に開くことによりタック片４０の内側に係止されて差し込み片５０を抜去不能とすることができるようになっている。また、不正開封防止包装箱１００では、天板右側壁部９２及び天板左側壁部９３の横方向長さを調節することで、補強部材８０と天板部材９０との当接する力を調節して補強部材８０の上側に天板部材９０を収容することができると共に、上側空間Ｓ２の高さを調節することができる。
【００５０】
続いて、上述した構成を有する不正開封防止包装箱１００の組立方法について説明する。図９〜１３は、本考案の実施の形態に係る不正開封防止包装箱１００の組立方法を示す図である。まず、図９に示すように、折り目線Ｆ９〜Ｆ１１を介して後側壁部２１、右側壁部２２、前側壁部２３及び左側壁部２４を矩形筒形状となるように折り曲げると共に、折り目線Ｆ１２を介して、左側貼付片２５を折り曲げて左側壁部２４の内側に接着剤等により貼り付ける。
【００５１】
次に、折り目線Ｆ５〜Ｆ８を介して、後側底片３１、右側底片３２、前側底片３３及び左側底片３４を折り曲げると共に、折り目線Ｆ１３を介して後側貼付片３１ａを折り曲げて右側底片３２の外側に貼着し、折り目線Ｆ１４を介して前側貼付片３３ａを折り曲げて左側底片３４の外側に貼着する。次に、後側底片３１及び前側底片３３を組み付けて底部３０を形成する。
【００５２】
次に、補強部材８０の折り目線Ｆ２４〜Ｆ２７を介して内側後側壁部８１、内側右側壁部８２、内側前側壁部８３及び内側左側壁部８４を上側に折り曲げて補強部材８０を形成し、不正開封防止包装箱１００の内部空間Ｓ１を画定する。次に、天板部材９０の折り目線Ｆ２８、Ｆ２９を介して天板右側壁部９２及び天板左側壁部９３を上側に折り曲げて天板部材９０を形成する。
【００５３】
次に、図１０に示すように、不正開封防止包装箱１００の内側に補強部材８０を収容する。次に、不正開封防止包装箱１００の内部空間Ｓ１に例えば商品である玉軸受と、玉軸受を保護するための発泡スチロール等の緩衝材とを収納する。次に、図１０に示すように、補強部材８０の内側且つ上側に天板部材９０を収容する。次に、不正開封防止包装箱１００の開口を覆う方向に図１１に示す右側蓋片１２及び左側蓋片１４を折り曲げ、その後、内蓋片１３も不正開封防止包装箱１００の開口を覆う方向に折り曲げる。その際、折り目線Ｆ１８に沿って差し込み片５０を内蓋片１３と反対方向（外側）に折り曲げ、右側係止片５３と左側係止片５４を上側に折り曲げる。タック片４０も上側に折り曲げる。次に、図１２に示すように、内蓋片１３を覆う方向に外蓋片１１を折り曲げ、下側を向いたタック片４０をタック片挿入スリット（右側タック片挿入スリット１６、左側タック片挿入スリット１７）に挿入する。これによって切欠き部１８が外蓋片１１によって覆われ、不正開封防止包装箱１００の前側壁部２３側にスリット６０が形成される。
【００５４】
次に、図１３に示すように、差し込み片５０の挿入片５２を上側に折り曲げ、その後、折り目線Ｆ１８に沿って折り曲げられた部分を元に戻しながら挿入片５２を差し込み片挿入スリット６１に挿入すると共に、右側係止片５３と左側係止片５４を折り曲げた状態でそれぞれ右側係止片挿入スリット６２と左側係止片挿入スリット６３に挿入する。これにより、図１に示すように、差し込み片５０は挿入スリット６０に挿入され、不正開封防止包装箱１００の組立と梱包が完了する。
【００５５】
図１４は、図１に示す蓋が閉じられた状態の不正開封防止包装箱１００の差し込み片５０を内側から見た場合を説明するための斜視図である。差し込み片５０が挿入スリット６０に挿入されると、右側係止片５３及び左側係止片５４が弾性により曲折された状態から左右に開いた元の状態に戻るため、図１４に示すように、右側係止片５３及び左側係止片５４がタック片４０の内側において係止されて差し込み片５０が抜去不能となる。このようにして、不正開封防止包装箱１００では、外蓋片１１が差し込み片５０に係止されて外蓋片１１を開かなくすることができる。
【００５６】
また、タック片４０がタック片挿入スリット（右側タック片挿入スリット１６、左側タック片挿入スリット１７）に挿入されると、タック片４０の先端縁４０ａが補強部材８０の切欠き部８６の深さ方向における端部８６ａに当接する。このため、切欠き部８６の端部８６ａにおいても外蓋片１１にかかる荷重を支えることができ、不正開封防止包装箱１００の深さ方向における強度を向上することができる。これによってより多くの不正開封防止包装箱１００を重ねて運搬したり、保管したりすることができる。
【００５７】
続いて、上述した構成を有する不正開封防止包装箱１００の開封方法について説明する。図１５は、図１に示す不正開封防止包装箱１００の破断片７０を右側破断線Ｂ１及び左側破断線Ｂ２に沿って破った状態を説明するための斜視図である。図１５に示すように、不正開封防止包装箱１００を開封する際には、外蓋片１１に設けられた破断片７０の突出片７１を上方に持ち上げることで、破断片７０の右側破断線Ｂ１及び左側破断線Ｂ２が破断して破断片７０が外蓋片１１に対して折り目線Ｆ１７に沿って折り曲げられる。これによって差し込み片５０の指掛部５５が露出する。次に、差し込み片５０の指掛部５５に指を掛けて挿入片５２を手前側に引くことで、差し込み片５０を外側に引き出す。そして外蓋片１１、内蓋片１３、右側蓋片１２及び左側蓋片１４を順に開く。続いて、天板部材９０の指掛部９４に指を掛けて上側に引っ張ることで、天板部材９０を取り外す。このようにして、不正開封防止包装箱１００の内部空間Ｓ１に収納されている玉軸受を取り出すことができる。
【００５８】
上述したように、本考案の実施の形態に係る不正開封防止包装箱１００では、差し込み片５０の長さ方向の両側に曲折可能な右側係止片５３及び左側係止片５４が設けられている。また、内蓋片１３には、タック片４０を挿入可能なタック片挿入スリット（右側タック片挿入スリット１６、左側タック片挿入スリット１７）が形成されており、タック片４０には、差し込み片５０を挿入可能な挿入スリット６０が形成されている。タック片４０がタック片挿入スリットに挿入され、かつ差し込み片５０が挿入スリット６０に挿入された状態では、差し込み片５０は右側係止片５３及び左側係止片５４によってタック片４０の内側に係止されて抜去不能となり、外蓋片１１と内蓋片１３は閉じられた状態になる。外蓋片１１には、開封時に差し込み片５０を挿入スリット６０から抜去可能とするための破断片７０が外蓋片１１に設けられている。破断片７０は、右側破断線Ｂ１及び左側破断線Ｂ２と、折り目線Ｆ１７とにより長方形形状に画定されている。右側破断線Ｂ１及び左側破断線Ｂ２とは、不正開封防止包装箱１００の開封時に破断されて破断片７０の長方形の対向する二辺が外蓋片１１と分離されるが、折り目線Ｆ１７に沿った一辺は外蓋片１１と繋がったままにされる。これにより、折り目線Ｆ１７に沿って破断片７０を上方に折り曲げることが可能になる。折り目線Ｆ１７に沿って破断片７０を上方に折り曲げると、差し込み片挿入スリット６１の代わりに大きな開口が外蓋片１１に形成され、差し込み片５０を挿入スリット６０から抜去することができる。
【００５９】
このように、開封前の不正開封防止包装箱１００では、外蓋片１１が差し込み片５０に係止されて外蓋片１１が開かなくなるので、接着テープを使うことなく外蓋片１１を開かなくすることができる。従って、不正開封防止包装箱１００の開封時に接着テープを刃物等で切って開ける必要がないため、刃物による負傷を防止することができる。
【００６０】
そして、不正開封防止包装箱１００を開封する際には、破断片７０の右側破断線Ｂ１及び左側破断線Ｂ２が破断されるため、接着テープを使わずとも不正開封防止包装箱１００の開封跡が残り、開封されたことが容易に分かることとなる。このため、不正開封防止包装箱１００が不正に開封されることを防止することができ、この結果、不正開封防止包装箱１００内部に収納されている玉軸受の盗難やすり替え等を防止することができる。
【００６１】
また、破断片７０は、外蓋片１１に対して折り曲げられるのみであり、箱を開封しても外蓋片１１と折り目線Ｆ１７の部分が繋がったままになるように設けられているため、破断片７０が外蓋片１１から完全に分離してゴミとなることを防止することができる。また、外蓋片１１と一部が繋がっているため、破断片７０を利用して外蓋片１１を再び閉じることができ、不正開封防止包装箱１００の孔部１９が開いたまま継続して使用されることを防止することができる。
【００６２】
また、破断片７０の先端部７０ａには前側壁部２３よりも外側に突出して不正開封防止包装箱１００の幅方向に延在する突出片７１が設けられている。このため、不正開封防止包装箱１００を開封する際には、突出片７１を上方に持ち上げることで、右側破断線Ｂ１及び左側破断線Ｂ２を容易に破断することができる。
【００６３】
また、不正開封防止包装箱１００では、挿入スリット６０が、差し込み片挿入スリット６１と、右側係止片挿入スリット６２及び左側係止片挿入スリット６３とにより逆Ｕ字状に画定されている。このため、差し込み片５０が挿入スリット６０に挿入されると、右側係止片５３及び左側係止片５４が段ボールの弾性により曲折された状態から元の状態に戻ろうとして左右に開き、右側係止片５３及び左側係止片５４がタック片４０の内側において係止されて差し込み片５０を抜去不能とすることができる。
【００６４】
また、不正開封防止包装箱１００は、内側後側壁部８１、内側右側壁部８２、内側前側壁部８３、内側左側壁部８４からなる複数の内側壁部が内側底部８５と連設された補強部材８０を更に備えることができる。内側後側壁部８１、内側右側壁部８２、内側前側壁部８３、内側左側壁部８４は、夫々、対応する後側壁部２１、右側壁部２２、前側壁部２３、左側壁部２４の内側に当接されており、内側底部８５は、底部３０の内側に当接されている。金属製の玉軸受のような重量がある商品を詰めた場合、移動時や保管時に箱を重ねてもつぶれないようにする必要があるため、不正開封防止包装箱１００は２９４０Ｎ以上の圧縮強度が必要となる。本考案の実施の形態に係る不正開封防止包装箱１００では、補強部材８０を設けることで、不正開封防止包装箱１００の圧縮強度を２９４０Ｎ以上に向上させることができる。
【００６５】
不正開封防止包装箱１００を閉じたときにタック片４０に最も近くなる内側前側壁部８３には、タック片４０に対応する位置に、先端縁８３ａから内側底部８５に向かう方向（深さ方向）に延在する切欠き部８６が形成されている。このため、補強部材８０が干渉して差し込み片５０が挿入スリット６０に挿入できなくなるという事態を回避できる。そして、差し込み片５０を挿入スリット６０に挿入した際に、右側係止片５３及び左側係止片５４により差し込み片５０がタック片４０の内側に係止されて抜去不能となる。
【００６６】
また、外蓋片１１が閉じられた状態では、タック片４０は切欠き部８６内に収容され、切欠き部８６の深さを規定する内側前側壁部８３の端部８６ａは、タック片４０の先端縁４０ａと当接されている。このため、内側前側壁部８３の端部８６ａにより外蓋片１１にかかる荷重を支えることができ、不正開封防止包装箱１００の深さ方向における圧縮強度を向上させることができる。
【００６７】
また、不正開封防止包装箱１００では、蓋部１０と天板部９１との間に上側空間Ｓ２が形成されている。このため、差し込み片５０を挿入スリット６０に挿入した場合に、蓋部１０と天板部９１との間の上側空間Ｓ２により、不正開封防止包装箱１００の内部空間Ｓ１に収納される緩衝材の影響を受けることなく、差し込み片５０を挿入スリット６０に挿入することができる。
【００６８】
また、差し込み片５０の挿入片５２は、指掛部５５を有しているため、半円状の切欠きからなる指掛部５５に指を掛けて挿入片５２を上側に引っ張ることで、差し込み片５０を容易に外側に引き出すことができる。また、図１０に示すように、天板部材９０は、指を差し込み可能な貫通孔からなる指掛部９４を有しているため、指掛部９４に指を掛けて天板部材９０を上側に引っ張ることで、天板部材９０を容易に取り外すことができる。
【００６９】
以上、本考案の実施の形態について説明したが、本考案は上記実施の形態に限定されるものではなく、本考案の概念および実用新案登録請求の範囲に含まれるあらゆる態様を含む。また、上述した効果の少なくとも一部を奏するように、各構成を適宜選択的に組み合わせてもよい。例えば、上記実施の形態における、各構成要素の形状、材料、配置、サイズ等は、本考案の具体的使用態様によって適宜変更され得る。
【００７０】
例えば、本考案の実施の形態に係る不正開封防止包装箱１００においては、補強部材８０及び天板部材９０が設けられている場合を一例に本考案の実施の形態について説明した。しかしながら、本考案はこれに限らない。例えば、図１６に示すように、天板部材９０があって補強部材８０が設けられていなくてもよく、また、図１７に示すように、補強部材８０があって天板部材９０が設けられていなくてもよい。
【００７１】
例えば、図１６に示す不正開封防止包装箱１００の場合、天板部９１の縦方向及び横方向における長さは、底部３０の縦方向及び横方向における長さよりも僅かに短くなっている。天板右側壁部９２の縦方向における長さは、右側壁部２２の縦方向における長さよりも僅かに短くなっており、天板左側壁部９３の縦方向における長さは、左側壁部２４の縦方向における長さよりも僅かに短くなっている。天板右側壁部９２の横方向における長さは、右側壁部２２の横方向における長さよりも短くなっており、天板左側壁部９３の横方向における長さは、左側壁部２４の横方向における長さよりも短くなっている。
【００７２】
従って、天板部材９０は、不正開封防止包装箱１００の内側且つ上側に収容されるようになっている。天板右側壁部９２は、右側壁部２２の内側に当接されるようになっており、天板左側壁部９３は、左側壁部２４の内側に当接されるようになっている。
【００７３】
また、図１７に示す不正開封防止包装箱１００の場合、不正開封防止包装箱１００の内部空間Ｓ１に収納される発泡スチロール等の緩衝材の量を減らすことで、緩衝材の影響を受けることなく、差し込み片５０を挿入スリット６０に挿入することができる。そして、右側係止片５３及び左側係止片５４によってタック片４０の内側に係止して差し込み片５０を抜去不能とすることができる。
【００７４】
また、本考案の実施の形態に係る不正開封防止包装箱１００においては、天板部９１の幅方向における中央部分に円形状の孔である指掛部９４が形成されている場合を一例に本考案の実施の形態について説明した。しかしながら、本考案はこれに限らず、例えば、図１８に示すように、指掛部９４が天板部９１の前側の縁部に設けられた切欠き９４ａにより形成されていてもよい。切欠き９４ａは限定されず、たとえば半円状や長方形形状であってもよい。また、指掛部９４に代えて、図１９に示すように、天板左側壁部９３の上側の縁部に設けられた突出部により形成される摘み部９５としてもよい。摘み部９５の形状は限定されず、たとえば半円状や長方形形状であってもよい。
【００７５】
また、本考案の実施の形態に係る不正開封防止包装箱１００においては、挿入スリット６０が差し込み片挿入スリット６１の両側から不正開封防止包装箱１００の深さ方向に平行に延在する一対の係止片挿入スリットである右側係止片挿入スリット６２及び左側係止片挿入スリット６３を有している場合を一例に本考案の実施の形態について説明した。しかしながら、本考案はこれに限らず、例えば、一対の係止片挿入スリットである右側係止片挿入スリット６２及び左側係止片挿入スリット６３が差し込み片挿入スリット６１の両側から離れるように斜めに延在していてもよく、差し込み片挿入スリット６１の両側から曲線状や円弧状に延在していてもよい。
【００７６】
また、本考案の実施の形態に係る不正開封防止包装箱１００においては、破断片７０が外蓋片１１の先端縁１１ａから平行に延在する一対の破断線である右側破断線Ｂ１及び左側破断線Ｂ２を有している場合を一例に本考案の実施の形態について説明した。しかしながら、本考案はこれに限らず、例えば、一対の破断線である右側破断線Ｂ１及び左側破断線Ｂ２が、外蓋片１１の先端縁１１ａから離れるように斜めに延在していてもよく、外蓋片１１の先端縁１１ａから曲線状や円弧状に延在していてもよい。
【符号の説明】
【００７７】
１〜３…ブランク、１０…蓋部、１１…外蓋片、１２…右側蓋片、１３…内蓋片、１４…左側蓋片、１６…右側タック片挿入スリット（タック片挿入スリット）、１７…左側タック片挿入スリット（タック片挿入スリット）、２０…側壁部、３０…底部、４０…タック片、５０…差し込み片、６０…挿入スリット、７０…破断片、８０…補強部材、９０…天板部材、１００…不正開封防止包装箱、Ｂ１…右側破断線、Ｂ２…左側破断線、Ｆ１〜Ｆ２９…折り目線、Ｃ１〜Ｃ８…切り込み線、Ｓ１…内部空間、Ｓ２…上側空間
【図１】
0003223268.tif 000003
【図２】
0003223268.tif 000004
【図３】
0003223268.tif 000005
【図４】
0003223268.tif 000006
【図５】
0003223268.tif 000007
【図６】
0003223268.tif 000008
【図７】
0003223268.tif 000009
【図８】
0003223268.tif 000010
【図９】
0003223268.tif 000011
【図１０】
0003223268.tif 000012
【図１１】
0003223268.tif 000013
【図１２】
0003223268.tif 000014
【図１３】
0003223268.tif 000015
【図１４】
0003223268.tif 000016
【図１５】
0003223268.tif 000017
【図１６】
0003223268.tif 000018
【図１７】
0003223268.tif 000019
【図１８】
0003223268.tif 000020
【図１９】
0003223268.tif 000021